(57)【要約】【課題】１枚で爪全体用のステッカーと爪先端部用のステッカーとの両方を備えたフレンチネイル兼用のネイルステッカーを提供する。【解決手段】爪又は人造爪の全体に貼付するための第１の基材層（１１ａ）と、爪又は人造爪の先端側の一部のみに貼付するための第２の基材層（１１ｂ）と、第１の基材層（１１ａ）及び第２の基材層（１１ｂ）の下面に第１の粘着剤層（１２ａ）及び第２の粘着剤層（１２ｂ）を介して各々剥離可能に貼付された第１の離型紙（１３ａ）及び第２の離型紙（１３ｂ）と、第１の基材層（１１ａ）及び第２の基材層（１１ｂ）の上面に貼付された透明又は半透明の単一（一枚）の保護フィルム（１５）とを備え、第１の基材層（１１ａ）及び第１の離型紙（１３ａ）と、第２の基材層（１１ｂ）及び第２の離型紙（１３ｂ）とは、それらの間に形成された湾曲線状の隙間（１６）を介して互いが分離している。【選択図】図４
2015019911.tif 000002
【特許請求の範囲】
【請求項１】
爪又は人造爪の全体に貼付するための第１の基材層（１１ａ）と、
爪又は人造爪の先端側の一部のみに貼付するための第２の基材層（１１ｂ）と、
前記第１の基材層（１１ａ）及び第２の基材層（１１ｂ）の下面に各々塗布形成された第１の粘着剤層（１２ａ）及び第２の粘着剤層（１２ｂ）と、
第１の粘着剤層（１２ａ）及び第２の粘着剤層（１２ｂ）の下面に各々剥離可能に貼付された第１の離型紙（１３ａ）及び第２の離型紙（１３ｂ）と、
前記第１の基材層（１１ａ）及び第２の基材層（１１ｂ）の上面に各々塗布形成された装飾層（１４）と、
前記第１の基材層（１１ａ）及び第２の基材層（１１ｂ）の上面に貼付された透明又は半透明の単一の保護フィルム（１５）と、
を備え、
前記第１の基材層（１１ａ）及び前記第１の離型紙（１３ａ）と、前記第２の基材層（１１ｂ）及び前記第２の離型紙（１３ｂ）とは、前記保護フィルム（１５）の下面側で互いに隣接して配置されており、前記第１の基材層（１１ａ）及び前記第１の離型紙（１３ａ）と、前記第２の基材層（１１ｂ）及び前記第２の離型紙（１３ｂ）とは、それらの間に形成された湾曲線状の隙間（１６）を介して互いが分離している
ことを特徴とするネイルステッカー。
【請求項２】
前記第１の基材層（１１ａ）は、
爪又は人造爪の全体に貼付されるように３本の直線と前記湾曲線状の隙間（１６）に沿う１本の凸状の湾曲線とで囲まれた外形を有する
ことを特徴とする請求項１に記載のネイルステッカー。
【請求項３】
前記第２の基材層（１１ｂ）は、
複数本の直線と前記第１の基材層（１１ａ）の前記凸形状の湾曲線に対応する１本の凹状の湾曲線とで囲まれた外形を有する
ことを特徴とする請求項１又は２に記載のネイルステッカー。
【請求項４】
前記第１の基材層（１１ａ）と第２の基材層（１１ｂ）は、いずれもエポキシ樹脂からなることを特徴とする請求項１乃至３のいずれか１項に記載のネイルステッカー。
【請求項５】
前記装飾層（１４）は、エポキシ樹脂とグリッター粉とが混合されたグリッターミックスを前記第１の基材層（１１ａ）及び第２の基材層（１１ｂ）の上面にシルクスクリーン印刷によって形成した層である
ことを特徴とする請求項１乃至４のいずれか１項に記載のネイルステッカー。
【発明の詳細な説明】
【技術分野】
【０００１】
本発明は、爪又は人造爪に貼付するネイルステッカーに関する。
【背景技術】
【０００２】
美容に対する女性達の関心の増大とともに、爪に各種模様や色相を導入して美しく作るネイルアートが多く利用されている。このようなネイルアートは、爪にマニキュアを直接塗るか、人造爪（人造爪）を使用するか、または爪にネイルステッカーを貼り付ける方式などがある。
【０００３】
このうち、マニキュアを爪に直接塗るネイルアートの場合には、自身が直接描くのが容易でないため、専門家に別途にサービスを受けるようになるが、多大な費用がかかり、装飾時間が長くないという短所がある。また、人造爪を使用する場合には、人造爪を爪に貼り付けていた接着剤を除去するために、リムーバーを使用する過程において皮膚トラブルが発生するおそれがある。また、人造爪の再使用が難しいという問題がある。
【０００４】
したがって、近年は、使い捨てとして販売されて、安くて簡便に使用できるネイルステッカーが広く用いられている。図１は、従来の一般的なネイルステッカーを示す図である。図１に示すように、従来のネイルステッカーは、エポキシ樹脂からなる基材層１と、基材層１の下面に貼り付けられる離型紙２と、基材層１の上面に貼り付けられる保護フィルム４と、摘み部３とからなる。
【０００５】
基材層１は、爪に貼り付けられるシール本体部分であって、弾力があり、使用者は、摘み部３を手で摘んだ状態で離型紙２と保護フィルム４とを分離して基材層１を露出させ、その状態で基材層１を爪に貼り付ける。
【０００６】
また、フレンチネイルアートは、爪のフリーエッジ位置にネイルアートを施すものであって、その形状が爪のイエローライン (yellow line) と類似する形状に形成される。イエローラインは、爪のフリーエッジとハイポニキュームとの間のラインを指すもので、皮膚と接触していない部分の爪をいう。このように、フレンチネイルアートでは、爪の表面（ネイルプレート）の全体にネイルアートを行わずに、爪の一部分のみにネイルアートを行う。
【０００７】
そして、このフレンチネイルアートのために、別途にフレンチネイル用のネイルステッカーが販売されている。フレンチネイル用のネイルステッカーも、図１に示す一般的なネイルステッカーと類似する構成である。ただし、その外周の一部が爪のエッジ部分に沿って貼り付けられるように、湾曲線状に形成されている。フレンチネイル用のネイルステッカーの従来例として、例えば、特許文献１に示すネイルステッカーがある。
【０００８】
しかし、従来は、上記の一般的なネイルステッカーとフレンチネイル用のネイルステッカーは、別々の商品であった。そのため、使用者は、一般的なネイルステッカーとフレンチ用のネイルステッカーを別々に購入して用意しなければならなかった。
【０００９】
すなわち、使用者の好みにしたがって一般的なネイルステッカーを使用したり、フレンチ用のネイルステッカーを使用したりするところ、これら両方を使用する場合は、ステッカーを各々製作しなければならず、生産費用が増える。また、消費者は別途のステッカーを各々購買して用いなければならないので、経済的な負担が増加する。
【先行技術文献】
【特許文献】
【００１０】
【特許文献１】特開２０１３−５２２１７号公報
【発明の概要】
【発明が解決しようとする課題】
【００１１】
本発明は、上記の問題を解決しようとするものであって、その目的は、１枚のネイルステッカーを爪全体用のステッカーと爪先端用（エッジ用）のステッカー（フレンチネイル用のステッカー）との両方に用いることができるネイルステッカーを提供することにある。
【課題を解決するための手段】
【００１２】
上記の目的を達成するための手段として、本発明は、爪又は人造爪の全体に貼付するための第１の基材層（１１ａ）と、爪又は人造爪の先端側の一部のみに貼付するための第２の基材層（１１ｂ）と、前記第１の基材層（１１ａ）及び第２の基材層（１１ｂ）の下面に各々塗布形成された第１の粘着剤層（１２ａ）及び第２の粘着剤層（１２ｂ）と、第１の粘着剤層（１２ａ）及び第２の粘着剤層（１２ｂ）の下面に各々剥離可能に貼付された第１の離型紙（１３ａ）及び第２の離型紙（１３ｂ）と、前記第１の基材層（１１ａ）及び第２の基材層（１１ｂ）の上面に各々塗布形成された装飾層（１４）と、前記第１の基材層（１１ａ）及び第２の基材層（１１ｂ）の上面に貼付された透明又は半透明の単一の保護フィルム（１５）と、を備え、前記第１の基材層（１１ａ）及び前記第１の離型紙（１３ａ）と、前記第２の基材層（１１ｂ）及び前記第２の離型紙（１３ｂ）とは、前記保護フィルム（１５）の下面側で互いに隣接して配置されており、前記第１の基材層（１１ａ）及び前記第１の離型紙（１３ａ）と、前記第２の基材層（１１ｂ）及び前記第２の離型紙（１３ｂ）とは、それらの間に形成された湾曲線状の隙間（１６）を介して互いが分離していることを特徴とする。
【００１３】
また、前記第１の基材層（１１ａ）は、爪又は人造爪の全体に貼付されるように３本の直線と前記湾曲線状の隙間（１６）に沿う１本の凸状の湾曲線とで囲まれた外形を有することが特徴である。
【００１４】
また、前記第２の基材層（１１ｂ）は、複数本の直線と前記第１の基材層（１１ａ）の前記凸状の湾曲線に対応する１本の凹形状の湾曲線とで囲まれた外形を有することが特徴である。
【００１５】
また、前記第１の基材層（１１ａ）と第２の基材層（１１ｂ）は、いずれもエポキシ樹脂からなることが特徴である。
【００１６】
また、前記装飾層（１４）は、エポキシ樹脂とグリッター粉とが混合されたグリッターミックスを前記第１の基材層（１１ａ）及び第２の基材層（１１ｂ）の上面にシルクスクリーン印刷によって形成した層であることが特徴である。
【００１７】
なお、上記の括弧内の符号は、後述する実施形態における構成要素の符号を本発明の一例として示したものである。
【発明の効果】
【００１８】
本発明にかかるネイルステッカーによれば、一枚の保護フィルム上に爪又は人造爪の本体部（全体）用の第１の基材層と、爪又は人造爪の先端部（エッジ部）用（フレンチネイル用）の第２の基材層との両方を形成し、これらを湾曲線状の隙間を介して互いに分離して使用可能な構成としたことで、一枚のネイルステッカーで、第１の基材層を爪本体に貼り付けることと第２の基材層を爪のエッジ部分に貼り付けることの両方が可能となる。
【図面の簡単な説明】
【００１９】
【図１】従来の一般的なネイルステッカーの構成図である。
【図２】従来のネイルステッカーの断面図である。
【図３】本発明の一実施形態にかかるネイルステッカーの構成図である。
【図４】本発明の実施形態にかかるネイルステッカーの下面図（底面図）である。
【図５】本発明の実施形態にかかるネイルステッカーの断面図（図４のＡ−Ａ′矢視断面図）である。
【図６】本発明の実施形態にかかるネイルステッカーの基材層の断面図である。
【図７】本発明の実施形態にかかるネイルステッカーを使用する際に基材層から保護フィルムと離型紙とを分離する状態を示す図である。
【図８】本発明の実施形態にかかるネイルステッカーの使用状態を示す図である。
【発明を実施するための形態】
【００２０】
以下、添付された図面と説明を参照して本発明の好ましい実施形態を詳細に説明する。ただし、下記に図示される図面と後述される説明は、本発明の特徴を効果的に説明するための種々の方法のうち、好ましい実施方法に関するものであり、本発明が下記の図面と説明のみに限定されるものではない。
【００２１】
また、下記において本発明を説明するにあたり、関連した公知機能または構成に対する具体的な説明が本発明の要旨を不要に濁すものと判断される場合には、その詳細な説明を省略する。そして、後述される用語などは、本発明における機能を考慮して定義された用語であって、これは、使用者、運用者の意図または慣例などによって変わることがある。したがって、その定義は、本発明の全般に渡る内容に基づいて定められるべきである。
【００２２】
また、以下に示される本発明の好ましい実施形態は、本発明をなす技術的な構成要素を効率的に説明するために、各々の機能構成に既に備えられているかまたは本発明の属する技術分野において通常備えられる機能構成はなるべく省略し、本発明のために追加的に備えられなければならない機能構成を中心として説明する。
【００２３】
もし、本発明の属する技術分野における通常の知識を有した者であれば、下記に図示せず、省略された機能構成のうち、従来に既に使用されている構成要素の機能を容易に理解できるし、また、上記のように省略された構成要素と本発明のために追加された構成要素との間の関係も明らかに理解できるであろう。
【００２４】
また、以下の実施形態は、本発明の核心的な技術的特徴を効率的に説明するために、本発明の属する技術分野における通常の知識を有した者が明らかに理解できるように用語を適宜変形して使用するが、これにより本発明が限定されるものではない。
【００２５】
結果的に、本発明の技術的思想は請求の範囲により決定され、以下の実施形態は、単に進歩的な本発明の技術的思想を本発明の属する技術分野における通常の知識を有する者に効率的に説明するための１つの手段である。
【００２６】
図３は、本発明の一実施形態にかかるネイルステッカー（爪用ステッカー）の構成図、図４は、ネイルステッカーの下面図（底面図）、図５は、ネイルステッカーの断面図（図４のＡ−Ａ′矢視断面図）、図６は、ネイルステッカーの基材層を示す断面図、図７は、ネイルステッカーを使用する際に基材層から保護フィルムと離型紙とを分離する状態を示す図、図８は、ネイルステッカーの使用状態を示す図である。
【００２７】
本発明の一実施形態にかかるネイルステッカー（フレンチネイル兼用ネイルステッカー）は、爪又は人造爪の本体の全体領域に貼り付けられる第１の基材層（爪本体用のステッカー）１１ａと、爪の先端部（エッジ部）を含む一部の領域に貼り付けられる第２の基材層（爪先端部用のステッカー：フレンチネイル用のステッカー）１１ｂと、第１の基材層１１ａ及び第２の基材層１１ｂの下面（底面）に各々塗布形成される第１の粘着剤層１２ａ及び第２の粘着剤層１２ｂと、第１、第２の粘着剤層１２ａ，１２ｂの下面（底面）に脱着可能（剥離可能）に貼り付けられた第１の離型紙１３ａ及び第２の離型紙１３ｂと、第１の基材層１１ａ及び第２の基材層１１ｂの上面に塗布形成された装飾層１４と、第１の基材層１１ａ及び第２の基材層１１ｂの上面（装飾層１４の上面（上部））に設けられた（貼付された）透明又は半透明の合成樹脂材からなる保護フィルム１５とを備えて構成される。
【００２８】
第１の基材層１１ａ及び第２の基材層１１ｂは、いずれもエポキシ樹脂で構成されている。第１の基材層１１ａは、その外形が３本の直線状の外形線と１本の凸状の湾曲線とで囲まれた形状である。第２の基材層１１ｂは、第１の基材層１１ａの凸状の湾曲線と噛み合って（隣接して）配置された凹状の湾曲線と、他の複数本の直線状の外形線とで囲まれた外形を有する。第１の基材層１１ａの凸状の湾曲線と第２の基材層１１ｂの凹状の湾曲線とは、後述する湾曲線状の隙間１６を介して互いが対向して配置されている。装飾層１４は、エポキシとグリッター粉とが混合されたグリッターミックスを第１の基材層１１ａ及び第２の基材層１１ｂの上面にシルクスクリーン印刷して形成される。保護フィルム１５は、一体型（一枚）のシートからなり、保護フィルム１５の下面に第１の基材層１１ａと第２の基材層１１ｂとが並べて配置（貼付）されている。
【００２９】
そして、第１の基材層１１ａ及び第２の基材層１１ｂは、湾曲線状の隙間１６に沿って（隙間１６を介して）互いが完全に分離された状態であり、第１の基材層１１ａ及び第２の基材層１１ｂの下面に脱着可能に貼り付けられた第１の離型紙１３ａ及び第２の離型紙１３ｂも湾曲線状の隙間１６に沿って互いが完全に分離された状態である。
【００３０】
湾曲線状の隙間１６及びそれに沿う第２の基材層１１ｂの凹状の湾曲線は、その形状が爪のエッジ部及びイエローライン (yellow line) に沿う形状に形成されている。イエローラインは、爪のフリーエッジとハイポニキュームとの間のラインを指すもので、皮膚と接触していない部分の爪をいう。
【００３１】
本発明にかかるネイルシールの最も大きな特徴は、一個（一枚）の保護フィルム１５の下面に第１の基材層１１ａと第２の基材層１１ｂとを配置し、合わせて、第１の基材層１１ａと第２の基材層１１ｂとの下面には離型紙１３ａ、１３ｂを各々配置（貼付）してなり、かつ、第１の基材層１１ａ及び第１の離型紙１３ａと第２の基材層１１ｂ及び第２の離型紙１３ｂとが相互に完全に分離されるように構成したことである。
【００３２】
すなわち、本発明にかかるネイルシールは、第１の基材層１１ａと第２の基材層１１ｂとが湾曲線状の隙間１６を介して相互に分離されるように構成したので、使用者は、必要に応じて第１の基材層１１ａのみを保護フィルム１５から分離（剥離）して使用するか、または、第２の基材層１１ｂのみを保護フィルム１５から分離して使用できるようになる。
【００３３】
上記のように、第１の基材層１１ａと第２の基材層１１ｂとを分離して使用できるようにしたことで、第１の基材層１１ａを爪の全体の領域に貼り付けることができ、残っている第２の基材層１１ｂを爪の先端部（エッジ部）を含む一部の領域に貼り付けることができるので、爪本体用のステッカーと爪エッジ用のステッカーを別々に購買しなくても良い、という長所を提供することができる。
【００３４】
また、従来のネイルステッカーは、爪本体用のステッカーと爪エッジ用のステッカーとを別途に製作して販売していたため、それぞれを離型紙から剥離する際に手で把持する部分を必要としていた。そのため、捨てられるステッカー部分が多く発生せざるを得なかった。これに対して、本発明にかかるネイルステッカーは、１枚の保護フィルム１５に第１の基材層１１ａと第２の基材層１１ｂの２枚の基材層を貼付した構成であり、かつ、第１の基材層１１ａと第２の基材層１１ｂが物理的に完全に分離されるように構成したので、使用者は、爪全体用の第１の基材層１１ａを使用する際には、爪エッジ用の第２の基材層１１ｂを手で把持しながら第１の基材層１１ａから保護フィルム１５及び第１の離型紙１３ａを剥離することができ、また、爪エッジ用の第２の基材層１１ｂを使用する際には、爪全体用の第１の基材層１１ａを手で把持しながら第２の基材層１１ｂから保護フィルム１５及び第２の離型紙１３ｂを剥離することができる。
【００３５】
本発明のネイルステッカーでは、保護フィルム１５の下面に第１の基材層１１ａと第２の基材層１１ｂとが貼り付けられ、合わせて、第１の基材層１１ａと第２の基材層１１ｂには、離型紙１３ａ，１３ｂが各々貼り付けられてなるところ、実際に、本発明のネイルステッカーを使用する際には、使用者は、保護フィルム１５に対して第１の基材層１１ａ及び第１の離型紙１３ａを湾曲線状の隙間１６から剥がして使用する。
【００３６】
湾曲線状の隙間１６は、第１の基材層１１ａと第２の基材層１１ｂとを物理的に完全に分離しているので、第１の基材層１１ａを保護フィルム１５から剥がす際に、第２の基材層１１ｂは保護フィルム１５から剥がれずに、保護フィルム１５の下面にそのまま貼付された状態で残る。
【００３７】
これにより、ネイルステッカーの使用者は、保護フィルム１５から第１の基材層１１ａを分離し、続けて、第１の基材層１１ａから第１の離型紙１３ａを分離した状態で該第１の基材層１１ａを爪の本体全体に貼り付ける。その後、爪の本体からはみ出している第１の基材層１１ａを適当に切り出して爪に装飾を施す。その後、保護フィルム１５の下面に残っている第２の基材層１１ｂを保護フィルム１５から分離し、第２の基材層１１ｂから第２の離型紙１３ｂを分離した後、該第２の基材層１１ｂを爪の先端部（エッジ部）を含む一部に貼り付ける。次いで、爪の先端辺からはみ出している第２の基材層１１ｂを適当に切り出して仕上げれば、立派な爪美容を達成することができる。
【００３８】
本発明のネイルステッカーを製作（製造）するには、保護フィルム１５の下面に第１の基材層１１ａと第２の基材層１１ｂとが塗布される。その後、第１の基材層１１ａと第２の基材層１１ｂの下面に粘着剤層１２ａ、１２ｂ及び離型紙１３ａ、１３ｂが塗布された状態で、カット手段を利用して第１の基材層１１ａと第２の基材層１１ｂとの間（湾曲線状の隙間１６）をカットする。これにより、保護フィルム１５は一枚のフィルムとしたまま、第１の基材層１１ａと第２の基材層１１ｂとを分離することができる。
【００３９】
これにより、第１の基材層１１ａと第２の基材層１１ｂの間に湾曲線状の隙間１６が形成される。湾曲線状の隙間１６を基準として爪全体用の第１の基材層１１ａと爪先端（エッジ）用の第２の基材層１１ｂとに完全に分離され、同時に、第１の基材層１１ａと第２の基材層１１ｂとを覆っている離型紙１３ａ、１３ｂも互いが完全に分離される。
【００４０】
本発明にかかるネイルステッカーには、第１の基材層（爪本体用ステッカー）１１ａと第２の基材層（爪エッジ用ステッカー）１１ｂとの両方が１枚のネイルステッカーに備えられている。したがって、使用者は、１枚のネイルステッカーを持っていれば、爪本体用ステッカーと爪エッジ用ステッカーを別々に購入しなくても良い、という長所を有する。
【００４１】
すなわち、本発明にかかるネイルステッカーは、一枚の保護フィルム１５に対して完全に分離した状態で貼付した第１の基材層（爪本体用のステッカー）１１ａと第２の基材層（爪エッジ用のステッカー）１１ｂとを備え、これら第１の基材層（爪本体用ステッカー）１１ａと第２の基材層（爪エッジ用ステッカー）１１ｂを必要な爪区間にそれぞれ容易に貼り付けて使用できるように構成したことを特徴とするフレンチネイル兼用のネイルステッカーである。
【００４２】
合わせて、本発明にかかるネイルステッカーは、爪本体用の第１の基材層１１ａを保護フィルム１５から分離して爪に貼り付けるときに、別途に残される不要な部分無しで第１の基材層１１ａを爪に貼り付けることができる。したがって、資源を浪費せずに、そのまま爪全体に貼り付けることができる。かつ、第２の基材層１１ｂも爪に貼り付けるとき、別途に残される不要な部分がほとんど無く爪に貼り付けられるので、資源を浪費せずに済む。
【００４３】
つまり、本発明にかかるネイルステッカーを利用すれば、１枚のネイルステッカーを爪全体用のステッカーと爪先端（エッジ）用のステッカーとの両方に用いることができるので、資源の浪費を防ぐことができ、かつ、低コストかつ高効率なネイルステッカーとなる。
【符号の説明】
【００４４】
１１ａ        第１の基材層
１１ｂ        第２の基材層
１２ａ        第１の粘着剤層
１２ｂ        第２の粘着剤層
１３ａ        第１の離型紙
１３ｂ        第２の離型紙
１４        装飾層
１５        保護フィルム
１６        湾曲線状の隙間
【図１】
2015019911.tif 000003
【図２】
2015019911.tif 000004
【図３】
2015019911.tif 000005
【図４】
2015019911.tif 000006
【図５】
2015019911.tif 000007
【図６】
2015019911.tif 000008
【図７】
2015019911.tif 000009
【図８】
2015019911.tif 000010